(57)【要約】【課題】  複数枚の記録紙の両面にそれぞれ複数のページデータを集約印刷して所定の裁断位置で裁断し、その裁断によって分割された複数の紙片を重ね合わせる作業を行えば各紙片のページ順が揃った状態になるように、記録紙に集約印刷する。【解決手段】  コンピュータ１又はプリンタ２は、記録紙に集約印刷された全ページを所定の裁断位置と裁断方向に裁断して、最小単位に裁断された一のページ群の最後のページに続けて他のページ群を重ねたときにページ順が揃うように、記録紙にページ配置する面付け制御を行う。【選択図】        図１
2009064266.tif 000002
【特許請求の範囲】
【請求項１】
記録紙に集約印刷された全ページを所定の裁断位置と裁断方向に裁断して、最小単位に裁断された一のページ群の最後のページに続けて他のページ群を重ねたときにページ順が揃うように面付け制御を行う面付け制御装置であって、
印刷対象データの、前記記録紙への集約印刷の指示を受け付ける受付手段と、
前記印刷対象データの前記記録紙へのページ配置処理と、該ページ配置処理によって各ページが配置された記録紙への裁断位置と裁断方向を識別可能な識別情報を前記記録紙の所定の位置に付加する付加処理とを、前記受付手段で受け付けた集約印刷指示に基づいて行う面付け制御手段と、
該面付け制御手段によるページ配置処理及び付加処理が為された印刷対象データを出力する出力手段とを備えたことを特徴とする面付け制御装置。
【請求項２】
前記面付け制御手段は、前記集約印刷に応じたページ配置に関して、前記記録紙に集約印刷されるときの印刷対象データの論理ページと該論理ページ上に面付けされる印刷対象データのページとの関係を、出力される記録紙の物理ページと関連付けて管理する管理手段を有することを特徴とする請求項１記載の面付け制御装置。
【請求項３】
前記管理手段は、前記関連付けを集約印刷の内容毎に管理することを特徴とする請求項２記載の面付け制御装置。
【請求項４】
前記付加処理は、集約印刷された全ページの裁断を、１ページにつき複数回行う必要がある場合には、前記識別情報に裁断順序を示した裁断順序情報を付加することを特徴とする請求項１乃至３のいずれか一項に記載の面付け制御装置。
【請求項５】
前記付加処理は、集約印刷の内容に応じて決められる記録紙中の場所に所定の向きで前記識別情報を付加することを特徴とする請求項１乃至４のいずれか一項に記載の面付け制御装置。
【請求項６】
前記識別情報は、実線又は破線であることを特徴とする請求項１乃至５のいずれか一項に記載の面付け制御装置。
【請求項７】
前記出力手段は、印刷装置への出力又は印刷処理であることを特徴とする請求項１乃至６のいずれか一項に記載の面付け制御装置。
【請求項８】
記録紙に集約印刷された全ページを所定の裁断位置と裁断方向に裁断して、最小単位に裁断された一のページ群の最後のページに続けて他のページ群を重ねたときにページ順が揃うように面付け制御を行う面付け制御方法であって、
印刷対象データの、前記記録紙への集約印刷の指示を受け付ける受付工程と、
前記印刷対象データの前記記録紙へのページ配置処理と、該ページ配置処理によって各ページが配置された記録紙への裁断位置と裁断方向を識別可能な識別情報を前記記録紙の所定の位置に付加する付加処理とを、前記受付手段で受け付けた集約印刷指示に基づいて行う面付け制御工程と、
該面付け制御工程によるページ配置処理及び付加処理が為された印刷対象データを出力する出力工程とからなることを特徴とする面付け制御方法。
【請求項９】
コンピュータに、記録紙に集約印刷された全ページを所定の裁断位置と裁断方向に裁断して、最小単位に裁断された一のページ群の最後のページに続けて他のページ群を重ねたときにページ順が揃うように面付け制御を実行させるためのプログラムであって、
印刷対象データの、前記記録紙への集約印刷の指示を受け付ける受付手順と、
前記印刷対象データの前記記録紙へのページ配置処理と、該ページ配置処理によって各ページが配置された記録紙への裁断位置と裁断方向を識別可能な識別情報を前記記録紙の所定の位置に付加する付加処理とを、前記受付手段で受け付けた集約印刷指示に基づいて行う面付け制御手順と、
該面付け制御手順によるページ配置処理及び付加処理が為された印刷対象データを出力する出力手順とを実行させるためのプログラム。
【請求項１０】
請求項９記載のプログラムを記録したコンピュータ読み取り可能な記録媒体。
【発明の詳細な説明】
【技術分野】
【０００１】
この発明は、コンピュータを含む情報処理装置と、プリンタ、複写機、複合機（ＭＦＰ）を含む画像処理装置に適用する面付け制御装置と面付け制御方法とプログラムとコンピュータ読み取り可能な記録媒体に関する。
【背景技術】
【０００２】
従来、複数枚の記録紙の両面にそれぞれ２ページ分の画像又は情報を印刷し、その各記録紙を束ねて長辺側を２つ折りにして小冊子を作り、そのような小冊子を複数重ねて製本したときにページ順が揃うように上記各記録紙の両面にそれぞれ印刷するページの画像又は情報を入れ替えて印刷する印刷装置（例えば、特許文献１参照）があった。
【特許文献１】特開２００３−３０５９１５号公報
【発明の開示】
【発明が解決しようとする課題】
【０００３】
しかしながら、上述した従来の印刷装置では、印刷後の記録紙を２つ折りに折り曲げて重ね合わせた際に内側の記録紙が外側の記録紙よりもはみ出してしまうので、小冊子を作成した後又は製本後、はみ出した部分を切り揃えなければならないので、その作業が繁雑であるという問題があった。
また、複数の小冊子を重ねて綴じるための製本装置が必要であり、その製本装置を購入することによって金銭的コストが負担になるという問題があった。
この発明は上記の点に鑑みてなされたものであり、複数枚の記録紙の両面にそれぞれ複数のページデータを集約印刷して所定の裁断位置で裁断し、その裁断によって分割された複数の紙片を重ね合わせる作業を行えば各紙片のページ順が揃った状態になるようにすることを目的とする。
【課題を解決するための手段】
【０００４】
この発明は上記の目的を達成するため、次の面付け制御装置と面付け制御方法とプログラムとコンピュータ読み取り可能な記録媒体を提供する。
（１）記録紙に集約印刷された全ページを所定の裁断位置と裁断方向に裁断して、最小単位に裁断された一のページ群の最後のページに続けて他のページ群を重ねたときにページ順が揃うように面付け制御を行う面付け制御装置であって、印刷対象データの、上記記録紙への集約印刷の指示を受け付ける受付手段と、上記印刷対象データの上記記録紙へのページ配置処理と、そのページ配置処理によって各ページが配置された記録紙への裁断位置と裁断方向を識別可能な識別情報を上記記録紙の所定の位置に付加する付加処理とを、上記受付手段で受け付けた集約印刷指示に基づいて行う面付け制御手段と、その面付け制御手段によるページ配置処理及び付加処理が為された印刷対象データを出力する出力手段を備えた面付け制御装置。
【０００５】
（２）上記のような面付け制御装置において、上記面付け制御手段は、上記集約印刷に応じたページ配置に関して、上記記録紙に集約印刷されるときの印刷対象データの論理ページとその論理ページ上に面付けされる印刷対象データのページとの関係を、出力される記録紙の物理ページと関連付けて管理する管理手段を有する面付け制御装置。
（３）上記のような面付け制御装置において、上記管理手段は、上記関連付けを集約印刷の内容毎に管理する面付け制御装置。
（４）上記のような面付け制御装置において、上記付加処理は、集約印刷された全ページの裁断を、１ページにつき複数回行う必要がある場合には、上記識別情報に裁断順序を示した裁断順序情報を付加する面付け制御装置装置。
【０００６】
（５）上記のような面付け制御装置において、上記付加処理は、集約印刷の内容に応じて決められる記録紙中の場所に所定の向きで上記識別情報を付加する面付け制御装置。
（６）上記のような面付け制御装置において、上記識別情報は、実線又は破線である面付け制御装置。
（７）上記のような面付け制御装置において、上記出力手段は、印刷装置への出力又は印刷処理である面付け制御装置。
【０００７】
（８）記録紙に集約印刷された全ページを所定の裁断位置と裁断方向に裁断して、最小単位に裁断された一のページ群の最後のページに続けて他のページ群を重ねたときにページ順が揃うように面付け制御を行う面付け制御方法であって、印刷対象データの、上記記録紙への集約印刷の指示を受け付ける受付工程と、上記印刷対象データの上記記録紙へのページ配置処理と、そのページ配置処理によって各ページが配置された記録紙への裁断位置と裁断方向を識別可能な識別情報を上記記録紙の所定の位置に付加する付加処理とを、上記受付手段で受け付けた集約印刷指示に基づいて行う面付け制御工程と、その面付け制御工程によるページ配置処理及び付加処理が為された印刷対象データを出力する出力工程とからなる面付け制御方法。
【０００８】
（９）コンピュータに、記録紙に集約印刷された全ページを所定の裁断位置と裁断方向に裁断して、最小単位に裁断された一のページ群の最後のページに続けて他のページ群を重ねたときにページ順が揃うように面付け制御を実行させるためのプログラムであって、印刷対象データの、上記記録紙への集約印刷の指示を受け付ける受付手順と、上記印刷対象データの上記記録紙へのページ配置処理と、そのページ配置処理によって各ページが配置された記録紙への裁断位置と裁断方向を識別可能な識別情報を上記記録紙の所定の位置に付加する付加処理とを、上記受付手段で受け付けた集約印刷指示に基づいて行う面付け制御手順と、その面付け制御手順によるページ配置処理及び付加処理が為された印刷対象データを出力する出力手順とを実行させるためのプログラム。
（１０）上記のようなプログラムを記録したコンピュータ読み取り可能な記録媒体。
【発明の効果】
【０００９】
この発明による面付け制御装置と面付け制御方法は、複数枚の記録紙の両面にそれぞれ複数のページデータを集約印刷して所定の裁断位置で裁断し、その裁断によって分割された複数の紙片を重ね合わせる作業を行えば各紙片のページ順が揃った状態になるように、記録紙に集約印刷することができる。
また、この発明によるプログラムは、コンピュータに、複数枚の記録紙の両面にそれぞれ複数のページデータを集約印刷して所定の裁断位置で裁断し、その裁断によって分割された複数の紙片を重ね合わせる作業を行えば各紙片のページ順が揃った状態になるように、記録紙に集約印刷させるようにするための機能を実現させることができる。
さらに、この発明のコンピュータ読み取り可能な記録媒体は、コンピュータに上記プログラムを容易に導入することができる。
【発明を実施するための最良の形態】
【００１０】
以下、この発明を実施するための最良の形態を図面に基づいて具体的に説明する。
〔実施例〕
図１は、この発明の一実施例であるシステム構成を示すブロック図である。
このシステムは、パーソナルコンピュータを含むコンピュータ１と、ファクシミリ装置、プリンタ、複写機、それらの複合機（ＭＦＰ）を含むプリンタ２とからなる。
コンピュータ１とプリンタ２とは、ケーブルによって直接接続されている場合でもよいし、ネットワークを介して接続されている場合でもよい。
【００１１】
図２は、図１に示すパーソナルコンピュータ１にこの発明に係る面付け制御装置を適用した場合の内部構成を示すブロック図である。
このコンピュータ１は、ＣＰＵ，ＲＯＭ及びＲＡＭを含むマイクロコンピュータによって実現され、入力部１０、制御部１１、グラフィックデバイスインタフェース（Ｇｒａｐｈｉｃｓ  Ｄｅｖｉｃｅ  Ｉｎｔｅｒｆａｃｅ：ＧＤＩ）１２、表示部１３、プリンタドライバ部１４、描画部１５、ページ配置制御部１６、スプーラ１７、ポートモニタ１８、ハードディスク装置（ＨＤＤ）１９を備えている。
入力部１０は、キーボード、ポインティングデバイスを含む入力装置であり、記録紙に対する集約印刷の指示と、集約印刷する複数のページデータの選択指定と、記録紙の１ページにおける集約数とを入力して受け付ける。
【００１２】
制御部１１は、このコンピュータ１の全体の制御を司り、各種のアプリケーションプログラムを実行して複数のページデータの作成を含む各種の処理を実行する。
ＧＤＩ１２は、表示部１３に対する表示制御とプリンタドライバ部１４の描画部１５に対してページデータを含む各種のデータを描画する制御を司る。
表示部１３は、ＣＲＴ，ＬＣＤを含むディスプレイ装置であり、各種のアプリケーションプログラムの実行時の作業画面や、集約印刷時の作業画面を含む各種の作業画面と情報を表示する。
プリンタドライバ部１４は、集約印刷を含むプリンタ２において印刷させる印刷データを作成して出力する制御を司り、描画部１５とページ配置制御部１６を有する。
描画部１５は、ページデータを含む各種のデータを描画する。
【００１３】
ページ配置制御部１６は、入力部１０から入力された集約印刷の指示に基づいて集約印刷する複数のページデータのページ数と、上記集約数とに基づいて集約印刷に必要な記録紙の枚数を求め、その求めた枚数の記録紙の各ページに対して、集約印刷後の記録紙にその記録紙中の所定の裁断位置での裁断と、その裁断によって分割された複数の記録紙の重ね合わせとを所定回数行うと、最小単位の紙片に裁断されて重ね合わされた各紙片のページ順が揃うように上記各ページデータを配置した印刷データを作成する。また、その他の印刷時の印刷データの作成も行う。
【００１４】
さらに、上記求めた枚数の記録紙の各ページと、その各ページ中の領域を上記集約数で分割した各領域に対してそれぞれ割り当てた各論理ページと、その各論理ページに配置した上記各ページデータのページとを関連付けてＨＤＤ１９に記憶して管理する。
また、上記求めた枚数の記録紙の各ページと上記各論理ページと上記各ページデータのページとを、上記集約数毎に管理する。
さらに、上記印刷データ中に記録紙中の裁断位置に対して裁断順が識別可能な裁断線を付加する。その裁断線は、異なる太さの実線を用いて、又は実線、点線、破線、鎖線のいずれかを組み合わせて用いて裁断順を識別可能にする。または、裁断順を示す数値を付加して裁断順を識別可能にする。
【００１５】
スプーラ１７は、印刷対象の印刷データとその印刷データに対応するＨＤＤ１９に格納された管理データを一時的に格納する。
ポートモニタ１８は、印刷時にプリンタ２とのやり取りを制御し、スプーラ１７に格納された印刷データをプリンタ２へ出力する制御を司る。
【００１６】
ＨＤＤ１９は、ページ配置制御部１６による上記求めた枚数の記録紙の各ページと、その各ページ中の領域を上記集約数で分割した各領域に対してそれぞれ割り当てた各論理ページと、その各論理ページに配置した上記各ページデータのページとを関連付けた管理データを記憶する。すなわち、記録紙の１ページにｎ個のページデータを集約印刷する「ｎｉｎ１」の管理データを格納する。また、この管理データについては、上記求めた枚数の記録紙の各ページと上記各論理ページと上記各ページデータのページとを、集約数毎に管理する。例えば、記録紙の１ページに２つのページデータを集約印刷する「２ｉｎ１」の場合と、記録紙の１ページに４つのページデータを集約印刷する「４ｉｎ１」の場合のそれぞれの管理データを格納する。
この発明に係る集約印刷における記録紙に対するページデータの配置をコンピュータ１で行う場合、上記ページ配置制御部１６でその処理を行い、その処理によって作成された印刷データをプリンタ２へ出力して印刷することになる。
【００１７】
図３は、図１に示すプリンタ２にこの発明に係る面付け制御装置を適用した場合の内部構成を示すブロック図である。
このプリンタ２は、受信部２０、操作表示部２１、原稿読取部２２、制御部２３、面付けアプリケーション部２４、ページ配置制御部２５、ＨＤＤ２６、印刷エンジン部２７を備えている。
【００１８】
受信部２０は、コンピュータ１とのデータ通信を司り、コンピュータ１から集約印刷の指示と集約数と集約印刷対象の複数のページデータを含む各種のデータを受信する。また、図示を省略するが、各種リムーバブルメディアからのデータを受信するようにしても良い。
操作表示部２１は、入力部と表示部とからなり、このプリンタ２へのユーザからの各種の入力とユーザへの各種の情報や作業画面を表示し、記録紙に対する集約印刷の指示と、集約印刷する複数のページデータの選択指定と、記録紙の１ページにおける集約数とを入力して受け付ける。
【００１９】
原稿読取部２２は、原稿に記載された情報の画像をページ単位で読み取り、その各ページデータを入力するスキャナ装置である。
制御部２３は、ＣＰＵ，ＲＯＭ及びＲＡＭを含むマイクロコンピュータによって実現され、このプリンタ２の全体の制御を司る。
面付けアプリケーション部２４は、集約印刷を含む印刷エンジン２７において印刷させる印刷データを作成して出力する制御を司り、ページ配置制御部２５とＨＤＤ２６を有する。
【００２０】
ページ配置制御部２５は、コンピュータ１又は操作表示部２１から入力された集約印刷の指示に基づいて集約印刷する複数のページデータのページ数と、上記集約数とに基づいて集約印刷に必要な記録紙の枚数を求め、その求めた枚数の記録紙の各ページに対して、集約印刷後の記録紙にその記録紙中の所定の裁断位置での裁断と、その裁断によって分割された複数の記録紙の重ね合わせとを所定回数行うと、最小単位の紙片に裁断されて重ね合わされた各紙片のページ順が揃うように上記各ページデータを配置した印刷データを作成する。また、その他の印刷時の印刷データの作成も行う。
【００２１】
さらに、上記求めた枚数の記録紙の各ページと、その各ページ中の領域を上記集約数で分割した各領域に対してそれぞれ割り当てた各論理ページと、その各論理ページに配置した上記各ページデータのページとを関連付けてＨＤＤ２６に記憶して管理する。
また、上記求めた枚数の記録紙の各ページと上記各論理ページと上記各ページデータのページとを、上記集約数毎に管理する。
さらに、上記印刷データ中に記録紙中の裁断位置に対して裁断順が識別可能な裁断線を付加する。その裁断線は、異なる太さの実線を用いて、又は実線、点線、破線、鎖線のいずれかを組み合わせて用いて裁断順を識別可能にする。または、裁断順を示す数値を付加して裁断順を識別可能にする。
【００２２】
ＨＤＤ２６は、ページ配置制御部２５による上記求めた枚数の記録紙の各ページと、その各ページ中の領域を上記集約数で分割した各領域に対してそれぞれ割り当てた各論理ページと、その各論理ページに配置した上記各ページデータのページとを関連付けた管理データを記憶する。すなわち、記録紙の１ページにｎ個のページデータを集約印刷する「ｎｉｎ１」の管理データを格納する。また、この管理データについては、上記求めた枚数の記録紙の各ページと上記各論理ページと上記各ページデータのページとを、集約数毎に管理する。例えば、記録紙の１ページに２つのページデータを集約印刷する「２ｉｎ１」の場合と、記録紙の１ページに４つのページデータを集約印刷する「４ｉｎ１」の場合のそれぞれの管理データを格納する。
印刷エンジン部２７は、印刷データに基づく画像を記録紙に印刷するカラー又はモノクロのレーザ方式プリンタを含む印刷装置である。
【００２３】
この実施形態での集約印刷における記録紙に対するページデータの配置をプリンタ２で行う場合、コンピュータ１から集約数と複数のページデータとを受け取り、上記ページ配置制御部２５で上記集約数と各ページデータとに基づいて記録紙に対する集約印刷時の各ページデータの配置処理を行い、その処理によって作成された印刷データを印刷エンジン２７へ出力して印刷することになる。
また、原稿読取部２２によって読み取った複数のページデータを集約印刷する場合、上記ページ配置制御部２５が、操作表示部２１から入力された集約印刷の指示と集約数とに基づいて、記録紙に対する集約印刷時の各ページデータの配置処理を行い、その処理によって作成された印刷データを印刷エンジン２７へ出力して印刷することになる。
【００２４】
次に、このシステムにおける集約印刷について説明する。
図４は、手帳程度のサイズで複数の頁を持つ本状のものである小冊子の一例を示す外観図である。
このシステムでは、複数枚の記録紙の両面にそれぞれ複数のページデータを集約印刷して所定の裁断位置で裁断し、その裁断によって分割された複数の紙片を重ね合わせる作業を行えば各紙片のページ順が揃った状態になるので、裁断後に綴じれば、図４に示すように、手帳程度のサイズで複数の頁を持つ本状のものである小冊子が容易に作成できる。
【００２５】
図５は、上記ページ配置制御部１６と２５におけるページ配置処理を示すフローチャート図である。
以下の処理で、Ｎは集約印刷に必要な記録紙の枚数、ｍはページデータを集約配置する対象の記録紙の枚数番号、ｎはページデータを集約配置する対象の記録紙の表面ページ上の集約数分の領域にそれぞれ割り当てた論理ページ番号、ｍＸｎは記録紙ｍ枚数目の表面ページ上のｎページに配置したページデータのページ番号、Ｌは集約数である。
【００２６】
まず、入力部１０又は操作表示部２１から記録紙に対する集約印刷の指示と、集約印刷する複数のページデータの選択指定と、記録紙の１ページにおける集約数が入力されると、ステップ（図中「Ｓ」で示す）１で、（集約印刷する複数のページデータの全頁数／（入力された記録紙の１頁における集約数×２（両面）））の値を求め、その小数点以下を切り上げた整数値Ｎを求める。この整数値Ｎが今回の集約印刷に必要な記録紙の枚数である。
ステップ２で、ｍ＝１，ｎ＝１，ｍＸｎ＝１を初期設定する。すなわち、ページデータを面付け（配置）する記録紙の枚数番号ｍ＝１枚目と、記録紙の表面ページ上の集約数で分割した各領域のページ番号ｎ＝１ページ目を設定し、１枚目の記録紙の表面ページ内の１ページ目の領域にページデータの１ページ目を配置してｍＸｎ＝１にする。
ステップ３でｎ＝２を設定し、ステップ４でｍＸｎ＝ｍＸｎ−１＋２Ｎとし、ステップ５でｍＸｎ＞集約配置するページデータの最終頁数か否かを判断する。
【００２７】
ステップ５で、ｍＸｎ＞集約配置するページデータの最終頁数でない（ｍＸｎ≦集約配置するページデータの最終頁数）と判断したら、ステップ６でｎ＝ｎ＋１とし、ステップ７でｎ＜Ｌか否かを判断し、ｎ＜Ｌならステップ４へ戻って上述の処理を繰り返し、ｎ＜Ｌでなければ（ｎ≧Ｌならば）ステップ８へ進む。
一方、ステップ５でｍＸｎ＞集約配置するページデータの最終頁数と判断したら、ステップ１１でｍＸｎを破棄し、ステップ８へ進む。
ステップ８ではｍ＝ｍ＋１とし、ステップ９でｍ≦Ｎか否かを判断し、ｍ≦Ｎなら、ステップ１２でｍＸ１＝ｍ−１Ｘ１＋２とし、ステップ３へ戻って上述の処理を繰り返す。
また、ステップ９でｍ≦Ｎでない（ｍ＞Ｎ）と判断したら、ステップ１０で各記録紙の裏面ページ上の集約数で分割した各領域のページに、それぞれの表面ページに配置したページデータのページ番号に１を加えたページ番号のページデータを配置し、この処理を終了する。
【００２８】
次に、上述の処理について、一例として、２０ページからなるＡ６サイズの小冊子を、Ａ４サイズの記録紙を長手方向を縦に使用して作成する場合のページ配置処理について説明する。
図６は、２０ページのページデータを１枚の記録紙１頁当たりに４ページを集約印刷するときのページ配置の説明図である。
まず、集約印刷するページデータの頁数は２０、集約数が４に指定された場合、集約印刷に必要な記録紙の枚数は、（２０÷（４×２））＝２．５であり、その小数点以下を切り上げ、Ｎ＝３を求める。
すなわち、全頁数（２０）を集約数（４）の２倍（両面）で割ると、２０／（４×２）＝２．５より、商である２（枚）と、余りページ（１枚）を考慮して、この小冊子の作成にはＡ４サイズの記録紙３枚が必要なことがわかる。
【００２９】
次に、Ａ４サイズの記録紙３枚に出力し、重ねて裁断した結果が正しい頁順となるような面付けをするには、記録紙を１／４にするために裁断が２回必要となるが、ここでは、記録紙を縦に使用し、水平方向から裁断し、重ねた後に垂直方向に裁断してまた重ねるという場合について説明する。
つまり、記録紙の１ページ上に４つのページデータを集約印刷するので、ページ上に４つの領域を設定し、１枚目の記録紙の表面ページである１ページ目の左上領域を論理ページの１ページ目に、左下領域を２ページ目に、右上領域を３ページ目に、右下領域を４ページ目に設定する。このように、各記録紙の物理ページ毎の４つの領域にそれぞれ論理ページを割り当てておく。
そして、上述の処理により、図６の（ａ）に示すように、１枚目の記録紙の表面ページの左上領域（論理ページの１ページ目）に対して、初期設定としてページデータの１ページ目を配置し、１Ｘ１＝１頁とする。
【００３０】
次に、左下領域（論理ページの２ページ目）に対して、上記処理によって、１Ｘ２＝１Ｘ１＋２Ｎ＝１＋６＝７を求め、ページデータの７ページ目を配置し、１Ｘ２＝７頁とする。
また、右上領域（論理ページの３ページ目）に対して、上記処理によって、１Ｘ３＝１Ｘ２＋２Ｎ＝７＋６＝１３を求め、ページデータの１３ページ目を配置し、１Ｘ３＝１３頁とする。
さらに、右下領域（論理ページの４ページ目）に対して、上記処理によって、１Ｘ４＝１Ｘ３＋２Ｎ＝１３＋６＝１９を求め、ページデータの１９ページ目を配置し、１Ｘ４＝１９頁とする。
【００３１】
次に、図６の（ｂ）に示すように、２枚目の記録紙の表面ページの左上領域（論理ページの９ページ目）に対して、上記処理によって、２Ｘ１＝１Ｘ１＋２＝１＋２＝３を求め、ページデータの３ページ目を配置し、２Ｘ１＝３頁とする。
また、左下領域（論理ページの１０ページ目）に対して、上記処理によって、２Ｘ２＝２Ｘ１＋２Ｎ＝３＋６＝９を求め、ページデータの９ページ目を配置し、２Ｘ２＝９頁とする。
さらに、右上領域（論理ページの１１ページ目）に対して、上記処理によって、２Ｘ３＝２Ｘ２＋２Ｎ＝９＋６＝１５を求め、ページデータの１５ページ目を配置し、２Ｘ３＝１５頁とする。
次に、右下領域（論理ページの１２ページ目）については、上記処理によって、３Ｘ３＝２Ｘ３＋２Ｎ＝１５＋６＝２１となり、最終ページ２０を超えるから、この３Ｘ３は破棄する。
【００３２】
次に、図６の（ｃ）に示すように、３枚目の記録紙の表面ページの左上領域（論理ページの１７ページ目）に対して、上記処理によって、３Ｘ１＝２Ｘ１＋２＝３＋２＝５を求め、ページデータの５ページ目を配置し、３Ｘ１＝５頁とする。
また、左下領域（論理ページの１８ページ目）に対して、上記処理によって、３Ｘ２＝３Ｘ１＋２Ｎ＝５＋６＝１１を求め、ページデータの１１ページ目を配置し、３Ｘ２＝１１頁とする。
さらに、右上領域（論理ページの１９ページ目）に対して、上記処理によって、３Ｘ３＝３Ｘ２＋２Ｎ＝１１＋６＝１７を求め、ページデータの１７ページ目を配置し、３Ｘ３＝１７頁とする。
次に、右下領域（論理ページの２０ページ目）については、上記処理によって、３Ｘ４＝３Ｘ３＋２Ｎ＝１７＋６＝２３となり、最終ページ２０を超えるから、この３Ｘ４は破棄する。
【００３３】
そして、１枚目の記録紙の表面ページの左上領域（論理ページの１ページ目）の裏面の領域（論理ページの５ページ目）に対して、１Ｘ１＋１＝２頁とする。
また、１枚目の記録紙の表面ページの左下領域（論理ページの２ページ目）の裏面の領域（論理ページの６ページ目）に対して、１Ｘ２＋１＝８頁とする。
さらに、１枚目の記録紙の表面ページの右上領域（論理ページの３ページ目）の裏面の領域（論理ページの７ページ目）に対して、１Ｘ３＋１＝１４頁とする。
さらにまた、１枚目の記録紙の表面ページの右下領域（論理ページの４ページ目）の裏面の領域（論理ページの８ページ目）に対して、１Ｘ４＋１＝２０頁とする。
【００３４】
次に、２枚目の記録紙の表面ページの左上領域（論理ページの９ページ目）の裏面の領域（論理ページの１３ページ目）に対して、２Ｘ１＋１＝４頁とする。
また、２枚目の記録紙の表面ページの左下領域（論理ページの１０ページ目）の裏面の領域（論理ページの１４ページ目）に対して、２Ｘ２＋１＝１０頁とする。
さらに、２枚目の記録紙の表面ページの右上領域（論理ページの１１ページ目）の裏面の領域（論理ページの１５ページ目）に対して、２Ｘ３＋１＝１６頁とする。
そして、２枚目の記録紙の表面ページの右下領域（論理ページの１２ページ目）には、ページデータを配置していないので、その裏面の領域（論理ページの１６ページ目）にも配置しない。
【００３５】
次に、３枚目の記録紙の表面ページの左上領域（論理ページの１７ページ目）の裏面の領域（論理ページの２１ページ目）に対して、３Ｘ１＋１＝６頁とする。
また、３枚目の記録紙の表面ページの左下領域（論理ページの１８ページ目）の裏面の領域（論理ページの２２ページ目）に対して、３Ｘ２＋１＝１２頁とする。
さらに、３枚目の記録紙の表面ページの右上領域（論理ページの１９ページ目）の裏面の領域（論理ページの２３ページ目）に対して、３Ｘ３＋１＝１８頁とする。
そして、３枚目の記録紙の表面ページの右下領域（論理ページの２０ページ目）には、ページデータを配置していないので、その裏面の領域（論理ページの２４ページ目）にも配置しない。
【００３６】
次に、上述の処理によって集約印刷された各記録紙に対して裁断と重ね合わせを繰り返して冊子を作る場合の作業手順について説明する。
図７乃至図９は、上述の処理によって集約印刷された各記録紙に対して裁断と重ね合わせを繰り返して冊子を作る場合の作業手順の説明図である。
図７の（ａ）〜（ｃ）が図６の（ａ）〜（ｃ）にそれぞれ対応する。各領域の中央に記した数値は表面ページ上の領域に配置したページデータのページ番号であり、各領域の左肩に示した数値はそれぞれの領域の裏面の領域に配置したページデータのページ番号である。
【００３７】
まず、１枚目左上を１ページ目（その裏が２ページ目）とすると、その下になる２枚目の同じ位置が３ページ目（その裏が４ページ目）となる。同様に、３枚目の同じ位置に５、６ページ目がくるように、図７の（ａ）〜（ｂ）に示す各記録紙を（ａ）〜（ｃ）の順に重ね合わせて束にする（図８の（ａ））。
次に、図８の（ａ）に示す記録紙の束の中央を水平方向（図中破線で示す位置と方向）に裁断し、上半分の記録紙の束（図８の（ｂ））と、下半分の記録紙の束（図８の（ｃ））とに分ける。
さらに、上半分の記録紙の束が上になるように下半分の記録紙の束へ重ねると（図９の（ａ））、１枚目の左下が３枚目左上の下に重なるので、７ページ目（その裏が８ページ目）となる。同様にして、２枚目、３枚目の同じ位置がそれぞれ９、１０ページ目、１１，１２ページ目となる。
【００３８】
続けて、図９の（ａ）の記録紙の束を垂直方向（図中破線で示す位置と方向）に裁断し、１ページ目が１番上にきている左半分の束（図９の（ｂ））と、右半分の束（図９の（ｃ））とに分ける。
さらに、左半分の束を右半分の束に重ねると（図９の（ｄ））、左半分の束の１番下のページ（３枚目の１１、１２ページ）の直下が１枚目の右半分の１番上となるため、その部分が１３ページ目（その裏が１４ページ目）に、同様にして、２枚目、３枚目の同じ位置（右上）がそれぞれ、１５、１６ページ目、１７、１８ページとなり、一枚目の右下部分は、最初に水平方向に裁断して重ねた際に、３枚目右上部分（１７、１８ページ目）の直下となっているので、そこが１９ページ目（その裏が２０ページ目）となる。
【００３９】
これらをまとめると、面付けの順序は記録紙１枚への集約枚数で決まることがわかる。
つまり、全体のページ数を集約枚数で割り、その結果（余りがあれば、商に＋１する）により出力に必要な枚数がわかる。
これをＮとする。特に不都合は無いので、１ページ目は１枚目左上とすると、全ての用紙を重ねて裁断し、重ねた、その下になる部分（１枚目左下）のページ数は、１ページ目（左上）から２Ｎ（記録紙枚数×表裏分）増加することになる。
【００４０】
同様にして、裁断して重ねたあとにその下になる部分（１枚目右上）、さらにその下になる部分（１枚目右下）はそれぞれ、２Ｎずつ増加する。
また、裁断後に重ねて下になり２Ｎページ増加する部分は、上になるページ部分と、裁断線で隣接していることもわかる。
また、２枚目、３枚目の左上は１ページ目から連続するページであり、裏面のページがあるので、２ずつ増加する。
表面全体の面付けも１枚目と同様に２Ｎずつ増加することになる。
また、裏面はそれぞれ表面のページ数に＋１したものとなる。もちろん、集約数が増えても同じルールで面付けすることができる。
【００４１】
このようにして記録紙の物理ページ番号と各記録紙の紙面上の論理ページ番号と各論理ページ上に配置したページデータのページ番号とを対応させた管理データをＨＤＤ１９又は２６に格納して管理し、印刷時にその管理データに基づいて記録紙上に各ページデータを集約印刷する。
【００４２】
ここで、上記ページ配置をコンピュータ１で行った場合は、上記ＨＤＤ１９に格納された管理データと共に各ページデータをプリンタ２へ出力し、プリンタ２が上記各ページデータを上記管理データに基づいて記録紙の各ページに集約印刷する。
また、上記ページ配置をプリンタ２で行う場合は、プリンタ２はコンピュータ１から集約印刷する各ページデータと記録紙のサイズと集約数を受け取り、上記記録紙のサイズと集約数とに基づいて各ページデータのページ配置処理を行って管理データをＨＤＤ２６に登録し、上記各ページデータを上記管理データに基づいて記録紙の各ページに集約印刷する。
【００４３】
さらに、原稿読取部２２から読み取った複数のページデータを集約印刷する場合は、コンピュータ１又は操作表示部２１から指定された記録紙のサイズと集約数とに基づいて、原稿読取部２２から入力した各ページデータのページ配置処理を行って管理データをＨＤＤ２６に登録し、上記各ページデータを上記管理データに基づいて記録紙の各ページに集約印刷する。
【００４４】
次に、上述の集約配置において、より冊子らしい体裁とするため、自動的に表紙を追加する付加機能を設けても良い。
この付加機能の処理についても、上記ページ配置制御部１６，２５で行い、この場合は、表紙となる１枚目の左上を−１ページ目（裏表分を考慮して、１−２＝−１）として上述の面付け制御処理を適用するとよい。
【００４５】
図１０は、２０ページのページデータを記録紙１枚当たりに４ページを集約印刷するときに表紙を設ける場合のページ配置の説明図である。
まず、上述の処理において、図１０の（ａ）に示すように、１枚目の記録紙の表面ページの左上領域（論理ページの１ページ目）に対して、表紙の表面ページとして１Ｘ１＝１−２＝−１頁とする。
【００４６】
次に、左下領域（論理ページの２ページ目）に対して、上記処理によって、１Ｘ２＝１Ｘ１＋２Ｎ＝−１＋６＝５を求め、ページデータの５ページ目を配置し、１Ｘ２＝５頁とする。
また、右上領域（論理ページの３ページ目）に対して、上記処理によって、１Ｘ３＝１Ｘ２＋２Ｎ＝５＋６＝１１を求め、ページデータの１１ページ目を配置し、１Ｘ３＝１１頁とする。
さらに、右下領域（論理ページの４ページ目）に対して、上記処理によって、１Ｘ４＝１Ｘ３＋２Ｎ＝１１＋６＝１７を求め、ページデータの１７ページ目を配置し、１Ｘ４＝１７頁とする。
【００４７】
次に、図１０の（ｂ）に示すように、２枚目の記録紙の表面ページの左上領域（論理ページの９ページ目）に対して、上記処理によって、２Ｘ１＝１Ｘ１＋２＝−１＋２＝１を求め、ページデータの１ページ目を配置し、２Ｘ１＝１頁とする。
また、左下領域（論理ページの１０ページ目）に対して、上記処理によって、２Ｘ２＝２Ｘ１＋２Ｎ＝１＋６＝７を求め、ページデータの７ページ目を配置し、２Ｘ２＝７頁とする。
さらに、右上領域（論理ページの１１ページ目）に対して、上記処理によって、２Ｘ３＝２Ｘ２＋２Ｎ＝７＋６＝１３を求め、ページデータの１３ページ目を配置し、２Ｘ３＝１３頁とする。
次に、右下領域（論理ページの１２ページ目）に対して、上記処理によって、２Ｘ４＝２Ｘ３＋２Ｎ＝１３＋６＝１９を求め、ページデータの１９ページ目を配置し、２Ｘ４＝１９頁とする。
【００４８】
次に、図６の（ｃ）に示すように、３枚目の記録紙の表面ページの左上領域（論理ページの１７ページ目）に対して、上記処理によって、３Ｘ１＝２Ｘ１＋２＝１＋２＝３を求め、ページデータの３ページ目を配置し、３Ｘ１＝３頁とする。
また、左下領域（論理ページの１８ページ目）に対して、上記処理によって、３Ｘ２＝３Ｘ１＋２Ｎ＝３＋６＝９を求め、ページデータの９ページ目を配置し、３Ｘ２＝９頁とする。
さらに、右上領域（論理ページの１９ページ目）に対して、上記処理によって、３Ｘ３＝３Ｘ２＋２Ｎ＝９＋６＝１５を求め、ページデータの１５ページ目を配置し、３Ｘ３＝１５頁とする。
次に、右下領域（論理ページの２０ページ目）については、上記処理によって、３Ｘ４＝３Ｘ３＋２Ｎ＝１５＋６＝２１となり、最終ページ２０を超えるから、この３Ｘ４は破棄する。
【００４９】
そして、１枚目の記録紙の表面ページの左上領域（論理ページの１ページ目）の裏面の領域（論理ページの５ページ目）は表紙の裏面になる。
また、１枚目の記録紙の表面ページの左下領域（論理ページの２ページ目）の裏面の領域（論理ページの６ページ目）に対して、１Ｘ２＋１＝６頁とする。
さらに、１枚目の記録紙の表面ページの右上領域（論理ページの３ページ目）の裏面の領域（論理ページの７ページ目）に対して、１Ｘ３＋１＝１２頁とする。
さらにまた、１枚目の記録紙の表面ページの右下領域（論理ページの４ページ目）の裏面の領域（論理ページの８ページ目）に対して、１Ｘ４＋１＝１８頁とする。
【００５０】
次に、２枚目の記録紙の表面ページの左上領域（論理ページの９ページ目）の裏面の領域（論理ページの１３ページ目）に対して、２Ｘ１＋１＝２頁とする。
また、２枚目の記録紙の表面ページの左下領域（論理ページの１０ページ目）の裏面の領域（論理ページの１４ページ目）に対して、２Ｘ２＋１＝８頁とする。
さらに、２枚目の記録紙の表面ページの右上領域（論理ページの１１ページ目）の裏面の領域（論理ページの１５ページ目）に対して、２Ｘ３＋１＝１４頁とする。
そして、２枚目の記録紙の表面ページの右下領域（論理ページの１２ページ目）の裏面の領域（論理ページの１６ページ目）に対して、２Ｘ４＋１＝２０頁とする。
【００５１】
次に、３枚目の記録紙の表面ページの左上領域（論理ページの１７ページ目）の裏面の領域（論理ページの２１ページ目）に対して、３Ｘ１＋１＝４頁とする。
また、３枚目の記録紙の表面ページの左下領域（論理ページの１８ページ目）の裏面の領域（論理ページの２２ページ目）に対して、３Ｘ２＋１＝１０頁とする。
さらに、３枚目の記録紙の表面ページの右上領域（論理ページの１９ページ目）の裏面の領域（論理ページの２３ページ目）に対して、３Ｘ３＋１＝１６頁とする。
そして、３枚目の記録紙の表面ページの右下領域（論理ページの２０ページ目）には、ページデータを配置していないので、その裏面の領域（論理ページの２４ページ目）にも配置しない。
【００５２】
図１１は、２０ページのページデータを記録紙１枚当たりに４ページを集約印刷するときに表紙を設けた場合の各ページ配置を示す説明図である。
図１１の（ａ）〜（ｃ）が図１０の（ａ）〜（ｃ）にそれぞれ対応する。各領域の中央に記した数値は表面ページ上の領域に配置したページデータのページ番号であり、各領域の左肩に示した数値はそれぞれの領域の裏面の領域に配置したページデータのページ番号である。
【００５３】
次に、図１２に示すように、記録紙の裁断場所の順序によって、面付けが変わってしまうため、ユーザが裁断する順序を間違え無いように、ガイドとなる識別情報を付加するようにすると良い。
例えば、裁断順序を表す文字や数字を印刷したり、または、優先する裁断部分を実線の太さや、実線，点線，鎖線で表現するとよい。
この場合も、上記ページ配置制御部１６と２５が、記録紙に各ページデータを集約配置する際に、各記録紙に対する裁断位置と裁断方向と裁断順を識別可能な識別情報を付加した印刷データを作成する。
【００５４】
図１３は、記録紙に裁断順が識別可能な裁断線の一例を示す図である。
図１３の（ａ）は、集約印刷された各ページ毎に裁断するために裁断位置と裁断方向を示す実線を印刷するようにし、その各裁断線の近傍に裁断順を示す丸数字を印刷した場合の一例であり、図中の丸数字の１が近傍に印刷された水平方向の実線が最初に裁断する裁断位置と裁断方向とを示した裁断線であり、丸数字の２が近傍に印刷された垂直方向の実線が次に裁断する裁断位置と裁断方向とを示した裁断線である。
【００５５】
図１３の（ｂ）は、裁断線の太さの順に裁断するように示した印刷の場合の一例であり、図中の水平方向の太い実線が最初に裁断する裁断位置と裁断方向とを示した裁断線であり、上記太い実線よりも細い垂直方向の実線が次に裁断する裁断位置と裁断方向とを示した裁断線である。
図１３の（ｃ）は、実線と破線を用いて裁断順を示した場合の一例であり、図中の水平方向の実線が最初に裁断する裁断位置と裁断方向とを示した裁断線であり、垂直方向の破線が次に裁断する裁断位置と裁断方向とを示した裁断線である。
なお、上述の他に鎖線を用いるようにしても良いし、実線，破線，鎖線とそれぞれの線の太さを組み合わせて裁断順を示すようにしても良い。
【００５６】
次に、１枚の記録紙に２ページのページデータを集約印刷する場合の例について簡単に説明する。
図１４は、１０ページのページデータを記録紙１枚当たりに２ページを集約印刷するときのページ配置例の説明図である。
上記ページ配置制御部１６と２５における上述と同様の処理により、Ａ４サイズの記録紙を長手方向を横にして１０ページのページデータを集約配置することにより、１枚目の記録紙の表面の左側に１ページ目のページデータが、右側に７ページ目のページデータがそれぞれ配置され、それぞれの裏面は２ページ目のページデータと８ページ目のページデータがそれぞれ配置される。
【００５７】
また、２枚目の記録紙の表面の左側に３ページ目のページデータが、右側に９ページ目のページデータがそれぞれ配置され、それぞれの裏面は４ページ目のページデータと１０ページ目のページデータがそれぞれ配置される。
そして、３枚目の記録紙の表面の左側に５ページ目のページデータが、その裏面は６ページ目のページデータがそれぞれ配置され、表面の右側とその裏面は白紙である。
なお、表紙を設ける場合も、上述した１枚の記録紙の１頁当たりに４ページを集約印刷する場合と同様の処理で集約配置することができるので、その説明は省略する。
【００５８】
図１５は、１０ページのページデータを１枚の記録紙の１頁当たりに２ページを集約印刷するときのページ配置したときの管理データの一例を示す図である。
このように、管理データは、記録紙の物理ページ（出力用紙頁）と、その各記録紙の頁毎の集約数分の各領域にそれぞれ割り当てた論理頁（集約後の論理頁）と、各論理頁に配置したページデータのページ番号（冊子用面付け頁）とをそれぞれ対応させて登録している。
この管理データは、１枚の記録紙の１頁当たりに２ページを集約印刷する場合の例であるが、上述した１枚の記録紙の１頁当たりに４ページを集約印刷する場合でも、同様のフォーマットで各ページ番号が登録される。
【００５９】
次に、上述の処理によって集約印刷された各記録紙に対して裁断と重ね合わせを繰り返して冊子を作る場合の作業手順について説明する。
図１６は、上述の処理によって集約印刷された各記録紙に対して裁断と重ね合わせを繰り返して冊子を作る場合の作業手順の説明図である。
図中の各領域の中央に記した数値は表面ページ上の領域に配置したページデータのページ番号であり、各領域の左肩に示した数値はそれぞれの領域の裏面の領域に配置したページデータのページ番号である。
【００６０】
まず、１枚目左側を１ページ目（その裏が２ページ目）とすると、その下になる２枚目の同じ位置が３ページ目（その裏が４ページ目）となる。同様に、３枚目の同じ位置に５、６ページ目がくるように、各記録紙を重ね合わせて束にする（図１６の（ａ））。
次に、図１６の（ａ）に示す記録紙の束の中央を垂直方向（図中実線で示す位置と方向）に裁断し、左半分の記録紙の束（図１６の（ｂ））と、右半分の記録紙の束（図１６の（ｃ））とに分ける。
さらに、左半分の記録紙の束が上になるように右半分の記録紙の束へ重ねると、一番上の記録紙の表面から５枚目の記録の裏面まで１〜１０ページのページデータが印刷されており、残りの２枚の記録紙は白紙である冊子の束ができる。
【産業上の利用可能性】
【００６１】
この発明による印刷データ作成装置と印刷データ作成方法とプログラムとコンピュータ読み取り可能な記録媒体は、デスクトップパソコン，ノートブックパソコンを含むパーソナルコンピュータと、ファクシミリ装置、プリンタ、複写機、それらの複合機を含む画像形成装置においても適用することができる。
【図面の簡単な説明】
【００６２】
【図１】この発明の一実施例であるシステム構成を示すブロック図である。
【図２】図１に示すパーソナルコンピュータにこの発明に係る面付け制御装置を適用した場合の内部構成を示すブロック図である。
【図３】図１に示すプリンタにこの発明に係る面付け制御装置を適用した場合の内部構成を示すブロック図である。
【図４】手帳程度のサイズで複数の頁を持つ本状のものである小冊子の一例を示す外観図である。
【００６３】
【図５】図２と図３に示すページ配置制御部におけるページ配置処理を示すフローチャート図である。
【図６】２０ページのページデータを１枚の記録紙１頁当たりに４ページを集約印刷するときのページ配置の説明図である。
【図７】図１に示すシステムにおける処理によって集約印刷された各記録紙に対して裁断と重ね合わせを繰り返して冊子を作る場合の作業手順の説明図である。
【図８】図７の続きの説明図である。
【００６４】
【図９】図８の続きの説明図である。
【図１０】２０ページのページデータを記録紙１枚当たりに４ページを集約印刷するときに表紙を設ける場合のページ配置の説明図である。
【図１１】２０ページのページデータを記録紙１枚当たりに４ページを集約印刷するときに表紙を設けた場合の各ページ配置を示す説明図である。
【図１２】記録紙の裁断場所の順序によって面付けが変わってしまうことを示す説明図である。
【００６５】
【図１３】記録紙に裁断順が識別可能な裁断線の一例を示す図である。
【図１４】１０ページのページデータを記録紙１枚当たりに２ページを集約印刷するときのページ配置例の説明図である。
【図１５】１０ページのページデータを１枚の記録紙の１頁当たりに２ページを集約印刷するときのページ配置したときの管理データの一例を示す図である。
【図１６】図１に示すシステムにおける処理によって集約印刷された各記録紙に対して裁断と重ね合わせを繰り返して冊子を作る場合の他の例の作業手順の説明図である。
【符号の説明】
【００６６】
１：コンピュータ    ２：プリンタ    １０：入力部    １１，２３：制御部    １２：ＧＤＩ部    １３：表示部    １４：プリンタドライバ部    １５：描画部    １６，２５：ページ配置制御部    １７：スプーラ    １８：ポートモニタ    １９，２６：ＨＤＤ    ２０：受信部    ２１：操作表示部    ２２：原稿読取部    ２４：面付けアプリケーション部    ２７：印刷エンジン
【図１】
2009064266.tif 000003
【図２】
2009064266.tif 000004
【図３】
2009064266.tif 000005
【図４】
2009064266.tif 000006
【図５】
2009064266.tif 000007
【図６】
2009064266.tif 000008
【図７】
2009064266.tif 000009
【図８】
2009064266.tif 000010
【図９】
2009064266.tif 000011
【図１０】
2009064266.tif 000012
【図１１】
2009064266.tif 000013
【図１２】
2009064266.tif 000014
【図１３】
2009064266.tif 000015
【図１４】
2009064266.tif 000016
【図１５】
2009064266.tif 000017
【図１６】
2009064266.tif 000018